(57)【要約】【課題】観察対象物の黒欠陥および白欠陥の検出精度が良好で、的確な修正を行なえるパターン欠陥検出装置およびパターン欠陥検出方法を提供する。【解決手段】透明基板に光透過部および光遮断部を有するパターンが形成されたカラーフィルタ１００上に異物が付着している場合の黒欠陥または、着色部のピンホールを含む剥離など、透過照明が通過する白欠陥を検出する。透明基板のパターンと重なっている部分は、透過する透過光を照射する透過照明部８０だけでは検出できない。表面で反射されるための光を照射する落射照明部７０を加えて、カラーフィルタ１００の表面をカメラ部６０が撮像する。【選択図】図２
2014077685.tif 000002
【特許請求の範囲】
【請求項１】
光透過部および光遮断部を有するパターンが形成された基板または光を遮断する材質をパターンとして設けた透明基板を観察対象物として、前記基板または透明基板の欠陥を検出するパターン欠陥検出装置であって、
観察対象物を透過する透過光を照射する透過照明部と、
観察対象物の表面で反射されるための光を照射する落射照明部と、
透過光または反射光の少なくとも一方を用いて観察対象物を撮像するカメラ部と、
前記透過照明部および前記落射照明部の点灯または消灯を含む光量の調整、前記パターン欠陥検出装置に実装されているユニットを制御する制御部と、
撮像された画像を画像処理する画像処理部とを備え、
前記カメラ部は、前記落射照明部からの照明光を用いて反射画像を撮像し、
前記透過照明部からの照明光を用いて透過画像を撮像し、
前記画像処理部は、前記反射画像と前記透過画像とに基づいて前記基板または前記透明基板の欠陥を検出する欠陥検出部を含む、パターン欠陥検出装置。
【請求項２】
前記欠陥検出部は、前記反射画像から作成された第１の欠陥画像と前記透過画像から作成された第２の欠陥画像とを合成して欠陥合成画像とするとともに、前記第１の欠陥画像、前記第２の欠陥画像、および前記欠陥合成画像のうち少なくともいずれか一つの欠陥画像から欠陥領域を検出する、請求項１に記載のパターン欠陥検出装置。
【請求項３】
前記欠陥検出部は、欠陥画像を作成する際に一定の領域をマスクするマスクパターンを含む、請求項２記載のパターン欠陥検出装置。
【請求項４】
前記欠陥検出部は、前記反射画像から作成された欠陥画像もしくは透過画像から作成された欠陥画像の論理積、論理和、および排他的論理和のうち、少なくともいずれか一つを用いて前記欠陥合成画像を作成する、請求項２または３に記載のパターン欠陥検出装置。
【請求項５】
欠陥を修正する欠陥修正部をさらに備え、
前記欠陥修正部は、前記欠陥検出部で検出された欠陥にレーザ光の照射を行なうレーザ照射装置およびインクを塗布するインク塗布装置のうち少なくともいずれか一方を含む、請求項１〜４のいずれか一項に記載のパターン欠陥検出装置。
【請求項６】
前記レーザ照射装置は、前記落射照明によって生成される黒欠陥画像または、落射照明および透過照明の合成後の黒欠陥画像のうち少なくともいずれか一方の黒欠陥画像にとらえられた黒欠陥にレーザ光を照射する、請求項５に記載のパターン欠陥検出装置。
【請求項７】
前記欠陥修正部は、前記レーザ照射装置により、白欠陥にレーザ光を照射するかまたは前記インク塗布装置によりインクを塗布するか少なくともいずれか一方の修正を行なう、請求項５または６に記載のパターン欠陥検出装置。
【請求項８】
前記レーザ照射装置は、修正箇所の欠陥が黒欠陥と白欠陥とである場合により照射条件を相違させる、請求項５〜７のいずれか一項に記載のパターン欠陥検出装置。
【請求項９】
前記観察対象物の基板または透明基板は、液晶ディスプレイ用カラーフィルタである、請求項１〜８のいずれか一項に記載のパターン欠陥検出装置。
【請求項１０】
前記レーザ照射装置は、液晶ディスプレイ用カラーフィルタの着色部およびブラックマトリクスの色ごとに照射条件を相違させる請求項５〜７のいずれか一項に記載のパターン欠陥検出装置。
【請求項１１】
光透過部および光遮断部を有するパターンが形成された基板または光を遮断する材質をパターンとして設けた透明基板を観察対象物として、前記基板または前記透明基板の欠陥を検出するパターン欠陥検出方法であって、
落射照明光を照射して前記観察対象物の反射画像をカメラ部で撮像するステップと、
透過照明光を照射して前記観察対象物の透過画像をカメラ部で撮像するステップと、
前記反射画像と前記透過画像とに基づいて前記基板または前記透明基板の欠陥を検出するステップとを備える、パターン欠陥検出方法。
【請求項１２】
前記落射照明によって観察された欠陥画像から検出された黒欠陥部分にレーザ光を照射して修正を行なうステップと、
レーザ光の照射で発生した白欠陥にインクを塗布して修正を行なうステップとをさらに備える、請求項１１記載のパターン欠陥検出方法。
【発明の詳細な説明】
【技術分野】
【０００１】
本発明は、パターン欠陥検出装置およびパターン欠陥検出方法に関する。
【背景技術】
【０００２】
光透過部および光遮断部を有するパターンが形成された基板の一つとしてカラーフィルタが知られている。
【０００３】
カラーフィルタは、ブラックマトリクスと呼ばれる光を遮断する格子状の光遮断部と、光を透過する光透過部として画素の色を表現する着色部とを有するパターンを含む。
【０００４】
このようなカラーフィルタ以外にも着色が施されるパターンの例としては、露光用のマスクやフィルム上に形成された電極配線などが知られている。これらのパターンは、光透過部と光遮断部とからなる微細パターンを設けた基板、または光を遮断する材質による微細パターンを設けた透明基板のいずれにも適用される。
【０００５】
たとえば、特開２００７−２３３２９９号公報（特許文献１）は、カラーフィルタなどのパターンの欠陥を検出して、修正する機能を有する欠陥修正装置を開示している。
【０００６】
特開２０００−５６４７７号公報（特許文献２）は、パターン欠陥に対してレーザ光を出射して、転写されたペーストを焼成する。
【０００７】
レーザ光の出射により、オープン欠陥の修正が行なえる。また、ショート欠陥などパターン同士が短絡している箇所に対してはレーザカットによって修正可能である。
【０００８】
カメラなどの観察光学系により撮像されたカラーフィルタの画像は、画像処理により着色部を「１」、ブラックマトリクス部を「０」とする２値化が行なわれる。
【０００９】
これにより、カラーフィルタのうち、着色部が占有する領域とブラックマトリクス部が占有する領域とが分離されて、２値化されたデータを修正時の位置決めなどに用いることができる。
【００１０】
２値化に用いられる閾値は、照明方法、光量、欠陥として検出する対象の種別により異なる。
【００１１】
欠陥の種別の一つとしては、混色欠陥や、表面に凹凸が存在する異物などの付着により生じる、いわゆる黒欠陥が知られている。
【００１２】
また、他の種別の欠陥としては、パターンの着色部分に欠損が生じて光が欠損部分を透過するピンホールや、または、着色部分の下層の膜の異常で発生するいわゆる白欠陥が知られている。
【００１３】
さらに、カラーフィルタを観察するための一般的な照明としては、落射照明もしくは、透過照明を用いたものが知られている。
【００１４】
このうち、落射照明を用いた欠陥検出方法では、カラーフィルタの表面側へ照明光を照射してカラーフィルタの表面で反射された反射光を観察する。
【００１５】
このため、カラーフィルタの表面に凹凸を有する異物が付着しているような黒欠陥の観察に落射照明は適している。
【００１６】
しかしながら、落射照明を用いた欠陥検出方法では、カラーフィルタの着色部と、周囲に位置するブラックマトリクス部の部分とを比較しても反射光量に差が生じにくく、分離に必要とされる十分なコントラストが得られない。
【００１７】
従って、カラーフィルタの反射による観察画像を２値化処理することが困難であった。
これに対して、透過照明を用いた欠陥検出方法では、カラーフィルタを裏面側から照明して、透過する光を表面側から観察する。
【００１８】
透過照明による観察では、カラーフィルタの着色部と周囲に位置するブラックマトリクス部の部分との間に十分なコントラストが得られる。
【００１９】
また、分離に用いる閾値を変更することにより、たとえば、着色部に生じた白欠陥と周囲の着色部との分離を行なって、白欠陥を検出することができる。
【００２０】
このように、透過照明による観察は、カラーフィルタの位置決めおよび白欠陥を検出する用途などに多く用いられる。
【先行技術文献】
【特許文献】
【００２１】
【特許文献１】特開２００７−２３３２９９号公報
【特許文献２】特開２０００−５６４７７号公報
【発明の概要】
【発明が解決しようとする課題】
【００２２】
しかしながら、透過照明では、ブラックマトリクス部の上に付着した異物により生じる黒欠陥を観察できない。
【００２３】
すなわち、ブラックマトリクス部位置に異物が重なっている部分では、ブラックマトリクス部で透過照明が遮られて異物の存在を確認できない。
【００２４】
このため、欠陥の検出精度を向上させるためには、透過照明による観察画像に加えて、落射照明によって観察を行なうことが望ましい。
【００２５】
このように検査対象となる観察画像の枚数が増大すると（たとえば３枚〜４枚以上）、検査作業が煩雑化する。
【００２６】
また、白欠陥および黒欠陥など欠陥の種類によって、修正方法が異なる。
そしてそれぞれの欠陥に応じた的確な方法で修正が行なわれないと、修正を行なった際、損傷を与えてさらに欠陥が増大してしまうおそれもあった。
【００２７】
この発明の目的は、観察対象物の黒欠陥および白欠陥の検出精度が良好で、的確な修正を行なえるパターン欠陥検出装置およびパターン欠陥検出方法を提供する。
【課題を解決するための手段】
【００２８】
この発明のパターン欠陥検出装置は、光透過部および光遮断部を有するパターンが形成された基板または光を遮断する材質をパターンとして設けた透明基板を観察対象物として、基板または透明基板の欠陥を検出する。
【００２９】
この発明のパターン欠陥検出装置は、観察対象物を透過する透過光を照射する透過照明部と、観察対象物の表面で反射されるための光を照射する落射照明部と、透過光または反射光の少なくとも一方を用いて観察対象物を撮像するカメラ部と、透過照明部および落射照明部の点灯または消灯を含む光量の調整、パターン欠陥検出装置に実装されているユニットを制御する制御部と、撮像された画像を画像処理する画像処理部とを備える。
【００３０】
カメラ部は、透過照明部または落射照明部の少なくともいずれか一方から照射された照明光を用いて観察対象物を撮像して、画像処理部では撮像された画像が画像処理される。
【００３１】
カメラ部は、落射照明部からの照明光を用いて反射画像を撮像し、透過照明部からの照明光を用いて透過画像を撮像する。
【００３２】
画像処理部は、反射画像および透過画像に基づいて基板または透明基板の欠陥を検出する欠陥検出部を含む。
【００３３】
好ましくは、欠陥検出部は、反射画像から作成された第１の欠陥画像と透過画像から作成された第２の欠陥画像とを合成して欠陥合成画像とするとともに、第１の欠陥画像、第２の欠陥画像、および欠陥合成画像のうち少なくともいずれか一つの欠陥画像から欠陥領域を検出する。
【００３４】
さらに好ましくは、欠陥検出部は、欠陥画像を作成する際に一定の領域をマスクするマスクパターンを含む。
【００３５】
さらに好ましくは、欠陥検出部は、反射画像から作成された欠陥画像もしくは透過画像から作成された欠陥画像の論理積、論理和、および排他的論理和のうち、少なくともいずれか一つもしくはこれらの組合せを用いて欠陥合成画像を作成する。
【００３６】
さらに好ましくは、欠陥を修正する欠陥修正部は、欠陥検出部で検出された欠陥にレーザ光の照射を行なうレーザ照射装置およびはインクを塗布するインク塗布装置のうち少なくともいずれか一方を含む。
【００３７】
さらに好ましくは、レーザ照射装置は、落射照明によって生成される黒欠陥画像または、落射照明および透過照明の合成後の黒欠陥画像のうち少なくともいずれか一方の黒欠陥画像にとらえられた黒欠陥にレーザ光を照射する。
【００３８】
さらに好ましくは、欠陥修正部は、レーザ照射装置により白欠陥にレーザ光を照射するかまたはインク塗布装置によりインクを塗布するか少なくともいずれか一方の修正を行なう。
【００３９】
さらに好ましくは、レーザ照射装置は、修正箇所の欠陥が黒欠陥と白欠陥とである場合により照射条件を相違させる。
【００４０】
さらに好ましくは、観察対象物の基板または透明基板は、液晶ディスプレイ用カラーフィルタである。
【００４１】
さらに好ましくは、レーザ照射装置は、液晶ディスプレイ用カラーフィルタの着色部およびブラックマトリクス部の色ごとに照射条件を相違させる。
【００４２】
この発明は、他の局面では、光透過部および光遮断部を有するパターンが形成された基板または光を遮断する材質をパターンとして設けた透明基板を観察対象物として、基板または透明基板の欠陥を検出するパターン欠陥検出方法である。
【００４３】
落射照明光を照射して観察対象物の反射画像をカメラ部で撮像するステップと、透過照明光を照射して観察対象物の透過画像をカメラ部で撮像するステップと、反射画像と透過画像とに基づいて基板または透明基板の欠陥を検出するステップとを備える。
【００４４】
さらに好ましくは、落射照明によって観察された欠陥画像から検出された黒欠陥部分にレーザ光を照射して修正を行なうステップと、レーザ光の照射で発生した白欠陥にインクを塗布して修正を行なうステップとをさらに備える。
【発明の効果】
【００４５】
本発明によれば、制御部が、透過照明部および落射照明部の点灯または消灯を含む光量の調整、パターン欠陥検出装置に実装されているユニットを制御すると、反射光を用いてカメラ部が撮像した反射画像および、透過光を用いてカメラ部が撮像した透過画像に基づき、画像処理部の欠陥検出部が基板または透明基板に存在する欠陥を検出する。
【００４６】
このため、黒欠陥および白欠陥の検出精度が良好で、的確な修正を行なうことができる。
【図面の簡単な説明】
【００４７】
【図１】この発明の実施の形態によるパターン欠陥検出装置の全体の構成を示す斜視図である。
【図２】パターン欠陥検出装置に用いられる透過照明装置および落射照明装置の位置関係を示す模式図である。
【図３】パターン欠陥検出装置の制御部を中心とした構成を説明するブロック図である。
【図４】パターン欠陥検出装置で観察したパターンの透過画像の一例を示す図である。
【図５】パターン欠陥検出装置で観察したパターンの反射画像の一例を示す図である。
【図６】パターン欠陥検出装置で、カラーフィルタに透過照明を行なって得られる第２の欠陥画像としての白欠陥検出画像の一例を示す図である。
【図７】パターン欠陥検出装置で、カラーフィルタに落射照明を行なって得られる第２の欠陥画像としての白欠陥検出画像の一例を示す図である。
【図８】パターン欠陥検出装置で、カラーフィルタに透過照明を行なって得られる第１の欠陥画像としての黒欠陥検出画像の一例を示す図である。
【図９】パターン欠陥検出装置で、カラーフィルタに落射照明を行なって得られる第１の欠陥画像としての黒欠陥検出画像の一例を示す図である。
【図１０】パターン欠陥検出装置で、カラーフィルタに透過照明を行なって得られる白欠陥検出画像を合成した白欠陥合成画像の一例を示す図である。
【図１１】パターン欠陥検出装置で、カラーフィルタに落射照明を行なって得られる黒欠陥検出画像を合成した黒欠陥合成画像の一例を示す図である。
【図１２】カラーフィルタのパターンを示し、観察画像の領域とフォトスペーサとの関係を示す図である。
【図１３】カラーフィルタの観察画像に予め用意されていたフォトスペーサ画像をあてはめた様子を説明する図である。
【図１４】パターン欠陥検出装置で、欠陥の検出処理および修正作業を工程に沿って示すフローチャートである。
【図１５】パターン欠陥検出装置で用いられるレーザ照射装置の照射条件を、黒欠陥および白欠陥ごとに表わした表図である。
【発明を実施するための形態】
【００４８】
以下、図面を参照しつつ、本発明の実施の形態について説明する。以下の説明では、同一の部品には同一の符号を付してある。それらの名称および機能も同じである。したがって、それらについての詳細な説明はくり返さない。
【００４９】
[パターン欠陥検出装置の構成]
図１〜図１５は、本発明の実施の形態のパターン欠陥検出装置１０１およびパターン欠陥を示している。このうち、図１は、パターン欠陥検出装置１０１全体の構成を示している。
【００５０】
パターン欠陥検出装置１０１は、ホストコンピュータ１と、制御用コンピュータ（制御部）２と、画像処理部３と、Ｚ軸ステージ４と、ＸＹテーブル５と、観察対象物であるカラーフィルタ１００を載置するチャック台６とを備える。
【００５１】
また、パターン欠陥検出装置１０１は、レーザ照射装置７と、可変スリット部８と、インク塗布装置９と、モニタ１０と、対物レンズ２１とを備える。
【００５２】
このうち、Ｚ軸ステージ４とＸＹテーブル５とは位置決め機構５１を構成する。また、レーザ照射装置７とインク塗布装置９とは、制御部２に接続されて欠陥修正部５０を構成する。
【００５３】
また、画像処理部３には、カメラ部６０が接続されている。
鏡筒７３は、対物レンズ２１およびカメラ部６０を含む（図２参照）。カメラ部６０は、カラーフィルタ１００を表面側から撮像する。
【００５４】
カメラ部６０により撮像されたカラーフィルタ１００の観察画像は、電気信号に変換されて画像処理部３に送られる。
【００５５】
画像処理部３に取込まれた画像は、画像処理部３に接続されるモニタ１０に表示される。また、ホストコンピュータ１のディスプレイ画面にカラーフィルタ１００の観察画像が表示される。
【００５６】
[照明装置の位置関係]
図２は、パターン欠陥検出装置１０１に用いられる落射照明部７０および透過照明部８０の位置関係を模式的に示している。
【００５７】
落射照明部７０は、落射照明装置７１および落射照明装置７１に内蔵された光ファイバーケーブル（以下、ファイバーと記す）７２を含む。
【００５８】
ファイバー７２の先端は、鏡筒７３に差し込まれる。落射照明装置７１から出た光は、ファイバー７２の先端から出射され、鏡筒７３内の第１ハーフミラー４１で対物レンズ２１の方向に反射される。第１ハーフミラー４１で反射した光は、最終的に対物レンズからカラーフィルタ１００の裏面に照射される。
【００５９】
落射照明部７０の落射照明装置７１および、透過照明部８０の透過照明装置８１は、それぞれ制御部２に接続されている。
【００６０】
制御部２は、落射照明装置７１の光源のＯＮ，ＯＦＦおよび光源の明るさ（光量）を制御する。
【００６１】
これにより、落射照明装置７１の点灯もしくは消灯または、照明光の光量が調整可能となる。
【００６２】
また、透過照明部８０は、透過照明装置８１および透過照明装置８１に接続されたファイバー８３を接続している。
【００６３】
透過照明装置８１から出た光はファイバー８３の先端から出射され、カラーフィルタ１００の裏面に照射される。
【００６４】
制御部２は、透過照明装置８１の光源のＯＮ，ＯＦＦおよび光源の明るさを制御する。
よって、透過照明装置８１のファイバー８３から照射される光量を、カラーフィルタ１００を透過する適切な透過光に調整できる。
【００６５】
落射照明装置７１から照射された照明光の対象物からの反射光は、鏡筒７３内の第２ハーフミラー４２で、第３ミラー４３の方向に反射され、さらに第３ミラー４３で、カメラ部６０の方向に反射され、ＣＣＤに導かれる。
【００６６】
落射照明装置７１の光軸と、ＣＣＤの光軸とは互いに一致するように配置されている。
また、透過照明装置８１の光軸もＣＣＤの光軸に一致するように調整されており、落射照明が行なわれる場合と同様にＣＣＤに導かれる。
【００６７】
そして、制御部２による制御で、上下の光源が交互に点灯および消灯されることにより、落射照明部７０からの照明光を照射する場合と、透過照明部８０からの照明光を照射する場合とを切換えることができる。
【００６８】
上下の光源が交互に点灯および消灯されることにより、落射照明部７０からの照明光を照射する場合と、透過照明部８０からの照明光を照射する場合とをそれぞれカメラ部６０のＣＣＤカメラで観察および撮像する。
【００６９】
そして、撮像された画像を２値化および合成などの画像処理に用いることができる。
落射照明装置７１のファイバー７２から射出された照明光は、カラーフィルタ１００の表面側を照射する。
【００７０】
落射照明装置７１から照射された照明光は、カラーフィルタ１００の表面で反射される。カラーフィルタ１００の表面に欠損があると、欠陥によっては反射光が散乱して、ＣＣＤで反射光を受光できないため正常部との間にコントラストを生じる。
【００７１】
透過照明装置８１から照射された透過照明光が、図５に示すカラーフィルタ１００の着色部１０３〜１０５、または白欠陥が発生している部分を裏面側から表面側に向けて透過する。白欠陥で透過する光の量はカラーフィルタ１００を透過する光の量よりも大きいため、正常部との間にコントラストが生じる。
【００７２】
[制御部の構成]
図３は、パターン欠陥検出装置１０１の制御部２および制御部２に接続される画像処理部３を中心とした構成を説明するブロック図である。
【００７３】
制御部２は、落射照明部７０からの照明光を照射する場合と、透過照明部８０からの照明光を照射する場合などの各照明の点灯および消灯を含む明るさの調整を行なう。
【００７４】
また、制御部２は、パターン欠陥検出装置１０１に実装されている各種ユニット（たとえば、欠陥修正部５０のレーザ照射装置７およびインク塗布装置９など）を制御する。
[画像処理部の構成]
さらに、制御部２およびホストコンピュータ１には、画像処理部３が接続されている。
【００７５】
画像処理部３には、欠陥検出部２２およびメモリ部２３が設けられている。欠陥検出部２２は、カメラ部６０で撮像された画像に基づいて、カラーフィルタ１００の欠陥箇所を検出する。
【００７６】
メモリ部２３は、カメラ部６０で撮影された画像を保持する。また、欠陥検出部２２で行なわれる２値化処理や欠陥検出処理により生成される画像を保持する。
【００７７】
画像処理部３は、カラーフィルタ１００の撮像された観察画像を処理して、後述する図６〜図９に示すような白，黒欠陥検出画像４００〜７００を作成する。
【００７８】
作成された白，黒欠陥検出画像４００〜７００のデータは、メモリ部２３に保持される。
【００７９】
メモリ部２３に保持される白，黒欠陥検出画像４００〜７００は、たとえば図６〜図９のように表示される。図中に示される白色部が欠陥であり、ハッチングで示される部分は正常部である。
【００８０】
白，黒欠陥検出画像４００〜７００のうち、少なくともいずれか一つのデータは、後述する図１０，図１１に示す白欠陥合成画像８００，黒欠陥合成画像９００を作成する際に用いられる。
【００８１】
[カラーフィルタの詳細構成]
図４は、パターン欠陥検出装置で観察したカラーフィルタ１００の透過画像２００を示す図である。
【００８２】
カラーフィルタ１００は、平板状の透明基板１０６の上にパターン１０２を構成する。
パターン１０２は、ブラックマトリクス部（クロム、酸化クロムおよび樹脂等の材料）と、光を透過して画素の色を表現する着色部１０２〜１０４とを含む。
【００８３】
ブラックマトリクス部は、パターン１０２の形状を規定して光を遮断する光遮断部を格子状に設けている。このパターン１０２では、色彩の異なる着色部１０２〜１０４が、繰返し配列されている。
【００８４】
カラーフィルタ１００以外にも着色されるパターンを有するものとしては、露光用のマスクやフィルム上に形成された電極配線などが知られている。これらのパターンは、光透過部と光遮断部とからなる微細パターンを設けた基板、または光を遮断する材質によって微細パターンを設けた透明基板として構成されることが可能である。
[欠陥の検出]
パターン１０２および着色部１０３〜１０５などの上に異物１１０が付着している場合、透過画像２００では、周囲とのコントラストがあまり得られない。このため、異物１１０の輪郭で、周囲と黒欠陥の部分とを分離させて認識することが困難である。
【００８５】
しかも、透明基板１０６のパターン１０２と重なっている部分は、透過照明による透過画像２００を用いて、白欠陥と区別して検出することができない。
【００８６】
これに対して、着色部１０３，１０４，１０５のピンホールを含む剥離は、透過照明が通過して、白欠陥１２０として検出される。
【００８７】
図５は、図４と同一箇所をパターン欠陥検出装置１０１で観察したカラーフィルタ１００の反射画像３００の一例を示す図である。
【００８８】
カラーフィルタ１００の上に異物１１０が付着している場合、反射画像では、異物１１０自体の表面の凹凸により照射光が散乱して、周囲とのコントラストが得られる。
【００８９】
このため、異物１１０は黒欠陥として認識されやすくなる。
これに対して、ピンホールを含む着色部１０３，１０４，１０５の剥離は、周囲の照射光の反射と差が生じにくく、白欠陥１２０として検出されにくい。
【００９０】
図６は、パターン欠陥検出装置１０１で、白欠陥を含むカラーフィルタ１００に透過照明を行なって得られる第２の欠陥画像としての白欠陥検出画像４００である。
【００９１】
図３の欠陥検出部２２では、メモリ部２３に取込まれた画像から実際の観察対象物の位置に即したカラーフィルタ１００のマスタ画像が作成され、作成されたマスタ画像と観察画像の濃淡データを比較する。
【００９２】
濃淡データの比較では、観察画像の濃淡データからマスタ画像の濃淡データを減算する処理が行なわれる。このため、減算後のデータは符号を持ち、マスタ画像に対して明るい部分はプラスの値を、暗い部分はマイナスの値を示す。
【００９３】
通常は、透過照明光を照射して得られた画像２００の白欠陥１２０ではプラスの値を、黒欠陥１１０ではマイナスの値を示し、それ以外の正常部では０に近い値を示す。また、落射照明光を照射して得られた画像３００の黒欠陥１１０や白欠陥１１０のエッジ部分ではマイナスの値を示し、それ以外の正常部では０に近い値を示す。
【００９４】
このように観察画像のデータを用いて、カラーフィルタ１００のマスタ画像が作成されるので、座標（ｘ，ｙ）位置および形状を正確なものとすることが可能で、欠陥検出精度を向上させることができる。
【００９５】
この際、たとえば予めメモリ部２３に設定された閾値は、観察画像とマスタ画像の減算結果を示す画像において、カラーフィルタ１００の剥離等により欠陥が生じた部分の画素の値を「１」とし、それ以外の画素の値を「０」とする。白欠陥部１２０では減算結果はプラスの値を示すため、正の閾値を設定する。
【００９６】
欠陥検出部２２では、図４の透過照明の透過画像２００に基づいて、図６に示す第２の欠陥画像として白欠陥検出画像４００を作成する。
【００９７】
白欠陥検出画像４００は、観察画像とマスタ画像との減算結果を示す画像を予めメモリ部２３に設定された閾値を用いて２値化する。２値化において閾値は白欠陥１２０部分を他の部分から分離し、白欠陥１２０部分には値「１」が与えられる。白欠陥１２０以外の部分には値「０」が与えられる。
【００９８】
図７は、白欠陥を含むパターン１０２に落射照明を行なって得られる反射画像から作成される第１の欠陥検出画像としての白欠陥検出画像５００である。
【００９９】
落射照明では、白欠陥が周囲の他の部分と反射光量の差がなく、コントラストが得られにくい。このため、観察画像とマスタ画像の減算結果は０に近い値を示し、閾値を下回るため、２値化された白欠陥検出画像５００は、全面で値が「０」となっている。
【０１００】
図８は、パターン欠陥検出装置１０１で、黒欠陥を有するパターン１０２に透過照明を照射して得られる第２の欠陥画像としての黒欠陥検出画像６００である。透過照明では、図４に示すように、ブラックマトリクス部の上に異物１１０が乗っている場合、区別がつかない。
【０１０１】
そこで、落射照明を照射して得られた観察画像から欠陥部を抽出する。
また、図９は、パターン欠陥検出装置１０１で、黒欠陥を有するパターン１０２に落射照明を照射して得られる第１の欠陥画像としての黒欠陥検出画像７００を示す図である。
【０１０２】
落射照明による欠陥の検出では、異物１１０の外表面の凹凸が反射して、周囲とのコントラストが得られている。このため、カラーフィルタ１００の上面の反射画像から容易に第１の欠陥画像としての黒欠陥検出画像７００が得られる。
【０１０３】
[欠陥検出画像の合成]
欠陥検出部２２は、落射照明の白欠陥検出画像５００，黒欠陥検出画像７００または透過照明の白欠陥検出画像４００，黒欠陥検出画像６００の中から選択した画像の論理積または論理和または排他的論理和のいずれかを用いて、合成する演算を行なうことより白，黒欠陥合成画像８００，９００を作成する。
【０１０４】
図１０は、パターン欠陥検出装置１０１で、カラーフィルタ１００に透過照明を照射して得られる白欠陥検出画像４００（図６）と、パターン１０２に落射照明を照射して得られる白欠陥検出画像５００（図７）を合成した白欠陥合成画像８００である。
【０１０５】
白欠陥合成画像８００の画像処理では、２値化されたデータ同士の論理和を演算した結果で得られる。
【０１０６】
図１１は、パターン欠陥検出装置１０１で、カラーフィルタ１００に透過照明を照射して得られる黒欠陥検出画像６００（図８）と、落射照明を照射して得られる黒欠陥検出画像７００（図９）との論理和を論理演算した結果を示す黒欠陥合成画像９００である。
【０１０７】
このように合成された黒欠陥合成画像９００は、モニタ１０または、ホストコンピュータ１のディスプレイ画面に視覚化されて表示することができる。
【０１０８】
なお、合成に用いる演算は論理和に限定されるものではなく、必要に応じて論理積や排他的論理和などの論理演算を行なって白，黒欠陥検出画像を演算してもよい。
【０１０９】
[フォトスペーサの検出]
画像処理部３は、生成された２値化入力画像に基づいて、予めカラーフィルタ１００のマスクパターンＭＰを生成する。
【０１１０】
図１２は、カラーフィルタ１００を示し、観察画像のうち、カメラ部６０で撮像される観察領域１０００とフォトスペーサＰとの関係を示している。
【０１１１】
カラーフィルタ１００には、フォトスペーサＰと呼ばれる正面視で円形状基材がパターン１０２の上に形成されている。図１２に示すカラーフィルタ１００では、フォトスペーサＰが着色部１０３〜１０５の３×２セルごとに１つの割合で等間隔をおいて配置されている。
【０１１２】
白欠陥検出画像の観察領域１０００は、たとえば、二点鎖線で示す長方形の枠の内側に設定される。
【０１１３】
観察画像において、フォトスペーサＰは、画素ピッチとは異なるピッチで形成される場合があり、このようなときフォトスペーサＰを欠陥として誤検出してしまう。
【０１１４】
仮に、このフォトスペーサＰ部分に修正を除外するマスクパターンＭＰをかけないと、観察領域１０００内に存在するフォトスペーサＰは、異物などの黒欠陥と誤認識されてレーザ照射装置７のレーザ照射によって除去されてしまうおそれがある。
【０１１５】
図１３は、カラーフィルタ１００の観察画像に、予め用意されていたフォトスペーサＰのマスクパターンＭＰをあてはめた様子を示している。
【０１１６】
マスクをかける方法としては、図１３の左図に示すように、まず、予め撮像しておいたフォトスペーサＰの画像をメモリ部２３に保持する。
【０１１７】
そして、カラーフィルタ１００の検査が行なわれる際、画像処理部３は、画像上のＲＧＢ各画素に相当する着色部１０３〜１０５の位置を検出する。
【０１１８】
画像処理部３は、メモリ部２３に保持されているフォトスペーサＰの画像と類似の箇所を探し出してパターンマッチングにより合致させる。
【０１１９】
これにより、観察領域１０００内側に位置するフォトスペーサＰ部分にマスクパターンＭＰが重なり、マスクされる。
【０１２０】
たとえば、フォトスペーサＰは、観察画像から欠陥画像を作成する際、正方形枠で囲った部分のマスクパターンＭＰでマスクされる。
【０１２１】
また、欠陥画像を用いて修正を行なう修正工程の前処理工程で、マスクパターンＭＰを用いてマスクしてもよい。
【０１２２】
これにより、フォトスペーサＰの画像に類似する箇所では、マスクパターンＭＰによるマスクが施された領域内では欠陥検査が行なわれない。また、欠陥としてフォトスペーサＰが検出されない。
【０１２３】
したがって、フォトスペーサＰがレーザ照射などの修正の対象とならず、後述する修正工程で、フォトスペーサＰが除去されるおそれがない。
【０１２４】
[欠陥の検出処理および修正工程の流れ]
図１４は、パターン欠陥検出装置１０１を用いた欠陥の検出処理および修正工程に沿って示すフローチャートである。
【０１２５】
図１のパターン欠陥検出装置１０１は、透明基板１０６からなるカラーフィルタ１００の欠陥を検出する。透明基板１０６は、光を遮断する材質をパターン１０２として設けたものや、その他、光透過部および光遮断部を有するパターン１０２が形成された基板であってもよい。
【０１２６】
図１，図１４を参照して、まず、カラーフィルタ１００の欠陥の検出を開始すると、ステップＳ１０では、光学系を切換えて検査に適した視野サイズの対物レンズおよび欠陥検出に適した明るさに照明が切換えられる。
【０１２７】
制御部２による制御で、位置決め機構５１のＺ軸ステージ４およびＸＹテーブル５がチャック台６に載置されたカラーフィルタ１００を移動させてカメラ部６０の撮像可能範囲内に、観察を行なうパターン１０２を位置させる。
【０１２８】
ステップＳ１１では、制御部２により、カメラ部６０のオートフォーカスが行なわれて撮像するパターン１０２に観察画像の焦点があわせられる。
【０１２９】
ステップＳ１２では、制御部２による制御で、透過照明部８０の照明光が照射される。
カメラ部６０には、カラーフィルタ１００の下方から上方へ向けて通過した透過光が観察画像として取込まれる。
【０１３０】
取込まれた観察画像のデータはメモリ部２３に保持されて、透過画像のデータとして用いられる。
【０１３１】
ステップＳ１３では、制御部２が落射照明部７０を制御して、落射照明光が照射される。
【０１３２】
カメラ部６０には、パターン１０２の上面を上方から撮像した観察画像が取込まれる。取込まれた観察画像のデータはメモリ部２３に保持されて、カラーフィルタ１００の表面側の状態を観察する反射画像のデータとして用いられる。
【０１３３】
この際、図１３に示すようなフォトスペーサＰ部分に修正を除外するマスクパターンＭＰをかけて、観察領域１０００内に存在するフォトスペーサＰを、黒欠陥と誤認識しないように合成してから保持してもよい。
【０１３４】
ステップＳ１４では、制御部２の欠陥検出部２２により、カラーフィルタ１００の欠陥検出が行なわれる。
【０１３５】
カラーフィルタ１００の欠陥検出は、メモリ部２３に保持された透過画像および反射画像の２値化されたデータを用いる。
【０１３６】
作成された２枚の白欠陥検出画像４００（図６），黒欠陥検出画像７００（図９）は、欠陥検出部２２でそれぞれ個別に用いられる場合がある。
【０１３７】
また、論理和が演算されて合成された白欠陥合成画像８００（図１０），黒欠陥合成画像９００（図１１）のうち、少なくともいずれか一方が欠陥の検出に用いられる。
【０１３８】
まず、白欠陥の検出では、図１０の白欠陥合成画像８００の値「１」を示す画素の連結部分を欠陥部として抽出する。
【０１３９】
黒欠陥の検出では、図１１の黒欠陥合成画像９００の値「１」を示す画素の連結部分を欠陥部として抽出する。
[欠陥部分の修正]
また、白欠陥と黒欠陥とでは修正方法が異なる。このように、白欠陥と黒欠陥とが区別できない場合、誤認識は後の修正工程で適切な修正が行なえない原因となる。
【０１４０】
再び図１４を参照して、ステップＳ１５に処理が進むと、カラーフィルタ１００の検査部位に欠陥があるか否かが欠陥検出部２２で判定される。
【０１４１】
欠陥が検出された場合には（ステップＳ１５にてＹＥＳ）、制御部２は次のステップＳ１６へ処理を進め、欠陥が検出されない場合には（ステップＳ１５にてＮＯ）、処理を終了する。
【０１４２】
ステップＳ１６に処理が進むと、着色部１０３〜１０５の色判定など位置あわせが行なわれるとともに、欠陥の修正位置が計算される。
【０１４３】
欠陥検出部２２では、論理和により演算されて合成された図１０に示す白欠陥合成画像８００および図１１に示す黒欠陥合成画像９００が用いられる。
【０１４４】
まず、白欠陥合成画像８００が用いられて白欠陥部位の位置と修正方法が特定される。
次に、黒欠陥合成画像９００が用いられて残存した黒欠陥部位の位置と修正方法が特定される。
【０１４５】
ステップＳ１７では光学系の切換えが行なわれて、カラーフィルタ１００の位置が修正を行なう位置まで移動される。
【０１４６】
移動は位置決め機構５１を構成するＺ軸ステージ４とＸＹテーブル５とによって行なわれる。
【０１４７】
移動により、レーザ照射装置７またはインク塗布装置９の真下にカラーフィルタ１００の欠陥部位が位置する。
【０１４８】
ステップＳ１８では、各欠陥部位の修正作業が行なわれて、欠陥検出および修正工程が制御部２によって終了される。
【０１４９】
[修正作業工程]
修正作業は、まず欠陥部位に対して図１のレーザ照射装置７からレーザ光を照射することにより行なわれる。
【０１５０】
照射されたレーザ光により、黒欠陥の原因となっている異物１１０がカットされて除去される。
【０１５１】
黒欠陥の除去作業は、落射照明により得られる黒欠陥検出画像７００（図９）または、黒欠陥合成画像９００（図１１）を用いて行なわれる。
【０１５２】
図８に示すように透過照明では、異物１１０がパターン１０２の上に付着して重なっている場合、パターン１０２のブラックマトリクスと、異物１１０とを区別する観察画像がカメラ部６０で撮像できない。
【０１５３】
このため、落射照明により異物１１０が黒欠陥として周囲とのコントラストを得られるようにする必要がある。
【０１５４】
ここで、落射照明で得られた図９に示す黒欠陥検出画像７００を単独で用いる場合には、異物１１０と、白欠陥１２０との区別がつきにくい。
【０１５５】
そこで、図１０に示す白欠陥合成画像８００を用いて、白欠陥１２０であると検出された部分は、図９に示す黒欠陥合成画像９００から除外する。
【０１５６】
これにより、周囲とのコントラストを得て検出された欠陥が、異物１１０の黒欠陥として確定できる。
【０１５７】
このように、黒欠陥と白欠陥とを区別するデータは、図１０に示す白欠陥１２０の位置および形状、大きさを特定可能な白欠陥合成画像８００と、図１１に示す黒欠陥の異物１１０の位置および形状、大きさを特定可能な黒欠陥合成画像９００とに集約されて、それぞれの欠陥箇所に、照射条件を相違させた異なる方法を施して除去作業を行なえる。
【０１５８】
黒欠陥と識別された異物１１０は、修正作業の第一段階としてレーザカットされる。レーザ照射装置７から照射されるレーザ光は、まず、異物１１０の除去に最適な出力に調整される。
【０１５９】
修正作業では、図１１に示す黒欠陥合成画像９００により、異物１１０の位置が正確に特定されている。
【０１６０】
このため、図１に示すパターン欠陥検出装置１０１のチャック台６の上にカラーフィルタ１００を載置したまま、異物１１０に正確にレーザ照射装置７から照射されるレーザ光を当てることが可能であり、レーザ照射により異物を短時間で確実に除去できる。
【０１６１】
また、異物１１０が金属片など硬い材質で構成されている場合、レーザ照射装置７の出力を上げて確実に除去を行なえる。
【０１６２】
しかしながら、レーザ照射装置７の出力を上げると、異物１１０の周囲の正常なカラーフィルタ１００の着色部１０３〜１０５などが異物１１０の飛散とともにめくれ、剥がれる可能性がある。
【０１６３】
さらに、高い出力で繰返し、レーザ光をレーザ照射装置７から照射すると、新たな欠損が発生する可能性が高まる。
【０１６４】
このため、パターン欠陥検出装置１０１では、図１４に示すフローチャートに沿って、まず、最初に異物１１０からなる黒欠陥をレーザ照射装置７によって除去する。
【０１６５】
初めのレーザ光の照射によって、確実に除去されているかを確認して再度、レーザ光を照射するようにしてもよい。
【０１６６】
また、レーザ照射装置７は、被照射物に応じて照射条件を相違させてもよい。
また、剥がれて発生した白欠陥１２０も含めて、カラーフィルタ１００上の白欠陥１２０をインク塗布装置９によって修正する必要が生じる場合がある。
【０１６７】
この場合、黒欠陥を除去した後、レーザ照射によって作成された白欠陥１２０を画像処理部３で再検出して制御部２で再検出して、修正する必要がある。
【０１６８】
また、白欠陥１２０は、着色部１０３〜１０５の下層に形成されている膜の異常などで発生する場合もある。
【０１６９】
このような別の原因で発生した白欠陥１２０を含めて、レーザ照射により異物１１０が完全に除去されていれば、カラーフィルタ１００には、白欠陥１２０のみが残されている。
【０１７０】
再度、カメラ部６０によりカラーフィルタ１００の反射画像および透過画像が撮像されて、同様に検査が行なわれる。
【０１７１】
そして、白欠陥であると検出された部分に対しては、レーザ照射装置７の出力が下げられて、レーザ照射光が照射されて第二段階の修正作業が行なわれる。
【０１７２】
第二段階の修正作業における再計算は、透過照明の白欠陥検出画像４００または、白欠陥合成画像８００に基づいて行なわれる。
【０１７３】
再計算により白欠陥１２０が生じている部分が検出されると、レーザ照射装置７からレーザ照射光が照射されて白欠陥１２０が除去または成形される。
【０１７４】
白欠陥１２０に対して、黒欠陥の異物１１０と同一のレーザ条件でレーザ光を照射すると正常な部位を破損する可能性がある。
【０１７５】
このため、白欠陥１２０へのレーザ照射は黒欠陥とは異なる条件で行なわれる。この実施の形態のレーザ照射装置７は、黒欠陥の場合に比して、低い出力で白欠陥１２０を修正するように異なる照射条件が設定可能である。
【０１７６】
図１５は、パターン欠陥検出装置で用いられるレーザ照射装置７の照射条件を、黒欠陥および白欠陥ごとに表わした表図である。
【０１７７】
ここで、レーザ波長とは、出射されるレーザの波長種類を示す。また、レーザパワーとは、出射されるレーザの出力を示す（単位：ｍＷ）。
【０１７８】
連続照射数とは、１回の照射で出力されるレーザ光の発振回数を示す。また、照射回数とは、連続して照射されるレーザ照射を１回と数えての回数を示す。
【０１７９】
黒欠陥に分類される代表的な欠陥として、異物１１０が知られている。異物１１０は硬度の高いものが多く、高いレーザパワーでレーザ光を照射することにより除去可能である。
【０１８０】
これに対して異物１１０の除去ほど高いレーザパワーを必要としない白欠陥の修正では、レーザ波長またはレーザパワーが低く設定されている。
【０１８１】
このように出力を制御することで、黒欠陥の修正を行なった際と同一のレーザ照射装置７を用いることができる。
【０１８２】
また、照射の回数を減少させることで、黒欠陥の修正を行なった同一のレーザ照射装置７を用いるようにしてもよい。
【０１８３】
修正作業の第三段階としてインク塗布装置９を用いて白欠陥部分にインクが塗布される。
【０１８４】
そして、黒欠陥および白欠陥の除去の順序として、最初に黒欠陥を除去してから、出力を異ならせたレーザ光の照射により、白欠陥を除去する。
【０１８５】
すなわち、まず修正作業の第一段階としてレーザ照射装置７を用いて黒欠陥を除去し、第二段階で出力を変えて、白欠陥１２０の可能な修正を行なう。
【０１８６】
これにより、白欠陥１２０に対して異物１１０と同一のレーザ光の照射条件で修正が行なわれた場合のように周囲の正常な部分まで破損させる可能性を減少させることができる。
【０１８７】
さらに、レーザ光の照射条件として、除去する欠陥部の色彩の相違によって異なる出力に設定したり、あるいは徐々に出力を変更するなど、レーザ照射装置７により異種の欠陥部の除去を行なうことができる。
【０１８８】
このように、カラーフィルタ１００の色彩に応じて、レーザ光を照射する条件を変更することにより、様々な観察対象物にパターン欠陥検出装置１０１を用いることができる。
【０１８９】
上述してきたように、制御部２によって、上下の光源が備えられた落射照明装置７１および透過照明装置８１を交互に点灯および消灯する。
【０１９０】
これにより、落射照明部７０からの照明光が照射されている場合、カメラ部６０では、カラーフィルタ１００上の様子を、照明光の反射光を用いて観察して撮像することができる。
【０１９１】
また、透過照明部８０からの照明光が照射されている場合、カメラ部６０では、カラーフィルタ１００を透過した照明光の透過光により、カラーフィルタ１００の様子を観察して撮像することができる。
【０１９２】
このため、図３に示す欠陥検出部２２は、異なる照明条件でカメラ部６０で撮像された観察画像から、異なる種類の欠陥を検査することができる。
【０１９３】
そして、画像処理部３により、白欠陥と黒欠陥とがそれぞれ検出されて、適切な方法で修正を行なえる。
【０１９４】
このように、ブラックマトリクス上の異物１１０などの透過照明のみでは検出が困難な黒欠陥も正確に白欠陥１２０と区別して検出することが可能で、閾値を異ならせるなどの複数枚の観察画像を比較、対比させながら、個別に修正工程を行なう場合に比して、検査、修正効率が向上する。
【０１９５】
また、画像処理部３は、対物レンズで拡大表示された画像を利用して欠陥を検出できるため、チャック台６の上で検出されたカラーフィルタ１００の欠陥の位置を正確にとらえて修正できる。
【０１９６】
さらに、同一のレーザ照射装置７を用いて黒欠陥と白欠陥とで異なる照射条件を選択して設定できる。
【０１９７】
よって、１回目の欠陥部分の修正のみならず、再検査および再修正の負担が軽減し、カラーフィルタ１００の生産効率を向上させることができる。
【０１９８】
この実施の形態では格子状のパターンを有するカラーフィルタ１００を用いて、欠陥の検出および修正について説明してきたが特にこれに限らず、たとえば露光用のマスクやフィルム上に形成される電極配線など、光透過部と光遮断部とを有するものであれば、どのような形状、数量および材質のものであってもよい。
【０１９９】
これらのパターンは、言い換えれば光透過部と光遮断部とからなる微細パターンを設けた基板または光を遮断する材料による微細パターンを設けた透明基板であればよい。よって、光透過部と光遮断部からなる微細パターンを設けた基板または光を遮断する材質による微細パターンを設けた透明基板などに適用することができる。
【０２００】
また、照明光ごとのカメラ部６０による撮像の順序は、透過照明部８０の照明光のみの撮像の次に、落射照明部７０による透過照明光のみの照射を行なって撮像する順序としている。
【０２０１】
しかしながら、特にこれに限らず、たとえば落射照明部７０による透過照明光のみの照射を行なう撮像の後に、透過照明部８０の照明光のみの撮像としても良く、撮像の順序が特に限定されるものではない。
【０２０２】
また、制御部２による制御で、上下の光源が交互に点灯および消灯されることにより、落射照明部７０からの照明光を照射する場合と、透過照明部８０からの照明光を照射する場合とを切換えることができるように構成されているが、特にこれに限らず、たとえば、落射照明部７０からの照明光と、透過照明部８０からの照明光とを同時に照射するミックスモードのようなものを用いてもよく、両照明光の比率や点灯、消滅あるいは光量調整のタイミングなどが特に限定されるものではない。
【０２０３】
そして、反射画像と透過画像とを制御部で画像処理するものであれば、２値化処理を行なって単独で用いるなど、特に合成せずに欠陥の検出に用いてもよい。
【０２０４】
さらに、欠陥検出部２２は、反射画像から作成された欠陥画像もしくは透過画像から作成された欠陥画像の論理積、または論理和、または排他的論理和のうち、少なくともいずれか一つを用いて欠陥合成画像を作成するものであればよい。
【０２０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２０６】
１  ホストコンピュータ、２  制御部、３  画像処理部、４  Ｚ軸ステージ、５  テーブル、６  チャック台、７  レーザ照射装置、８  可変スリット部、９  インク塗布装置、１０  モニタ、２１  対物レンズ、２２  欠陥検出部、２３  メモリ部、４１  第１ハーフミラー、４２  第２ミラー、４３  第３ミラー、  ５０  欠陥修正部、５１  位置決め機構、６０  カメラ部、７０  落射照明部、７１  落射照明装置、７２  ファイバー照射口、７３  鏡筒、８０  透過照明部、８１  透過照明装置、８３  ファイバー、１００  カラーフィルタ、１０１  パターン欠陥検出装置、１０２  パターン、１０３〜１０５  着色部、１０６  透明基板、１１０  異物  １２０  白欠陥、２００  透過画像、３００  反射画像、４００  白欠陥検出画像（落射照明を用いた第１の欠陥検出画像）、５００  白欠陥検出画像（透過照明を用いた第２の欠陥検出画像）、６００  黒欠陥検出画像（透過照明を用いた第２の欠陥検出画像）、７００  第２の欠陥検出画像（落射照明を用いた第１の欠陥検出画像）、８００  白欠陥合成画像、９００  黒欠陥合成画像、１０００  撮像領域、Ｐ  フォトスペーサ、ＭＰ  マスクパターン。
【図１】
2014077685.tif 000003
【図２】
2014077685.tif 000004
【図３】
2014077685.tif 000005
【図１２】
2014077685.tif 000006
【図１３】
2014077685.tif 000007
【図１４】
2014077685.tif 000008
【図１５】
2014077685.tif 000009
【図４】
2014077685.tif 000010
【図５】
2014077685.tif 000011
【図６】
2014077685.tif 000012
【図７】
2014077685.tif 000013
【図８】
2014077685.tif 000014
【図９】
2014077685.tif 000015
【図１０】
2014077685.tif 000016
【図１１】
2014077685.tif 000017